(57)【特許請求の範囲】
【請求項１】
複数のシート材からなるシート束を切断可能なシート束切断装置であって、該シート束切断装置は、切断幅方向に延在する一縁に刃先を有する板状の切断刃を備え、前記一縁には、突き刺しおよび引き切りが可能な刃先線となる稜線を有して切断方向に突出する複数の突出刃先部と、隣接する前記突出刃先部の間に前記突出刃先部の隣接する突出先端の離間距離（Ｌｙ）と前記突出刃先部を形成する基部の幅（Ｌｘ）との距離比（Ｌｘ／Ｌｙ）が０．１０〜０．４０に形成された直線状底部とを有し、前記シート束の切断を、前記切断刃に切断方向の荷重を付与し、かつ前記切断刃を切断幅方向に往復移動することで行うことを特徴とするシート束切断装置。
【請求項２】
前記直線状底部の直線状部の長さは１ｍｍ以上に形成されていることを特徴とする請求項１に記載のシート束切断装置。
【請求項３】
前記直線状底部は前記シート束の切断幅方向に沿って切断を営む刃先線となる稜線を有することを特徴とする請求項１または２に記載のシート束切断装置。
【請求項４】
前記突出刃先部は前記直線状底部との直交方向において前記直線状底部から前記突出先端までの突出量が０．０５〜１．０ｍｍに形成されていることを特徴とする請求項１乃至３のいずれか１項に記載のシート束切断装置。
【請求項５】
前記突出刃先部の隣接する突出先端の離間距離が１．５ｍｍ以上に形成されていることを特徴とする請求項１乃至４のいずれか１項に記載のシート束切断装置。
【発明の詳細な説明】
【技術分野】
【０００１】
本発明は、例えば、製本途中の書籍や雑誌、複写機等で扱う紙類の孔明け、中綴じ、中折りなどが施された冊子、樹脂材やシール材を含む積層シート類など、複数枚のシート材が積層されたシート束の小口や辺縁などの切断を行うためのシート束切断装置に関する。
【背景技術】
【０００２】
本出願人は、上述したシート束の切断に適用できるシート束切断装置として、特許文献１に記載の装置を提案した。提案した切断装置は、板状の切断刃を、シート束に平行な切断幅方向に往復移動しながら切断方向に荷重を加えて移動させる動作により、該切断刃とこれに対向する受け部材との間に載置したシート束を切断することができる。該切断刃は、切断幅方向に延在する一縁に複数の突出刃先部を形成している。
【０００３】
前記複数の突出刃先部は、突き刺しおよび引き切りが可能な刃先線となる稜線を有して切断方向に突出し、前記切断刃が切断方向に移動するときには該突出刃先部がシート束に突き刺さり、前記切断刃が切断幅方向に移動するときには突き刺さった該突出刃先部がシート束を引き切って切断する、という２つの切断動作を可能にした。
【０００４】
上述した突出刃先部の適用により、切断装置は、該突出刃先部の稜線の鋭利性を向上させるほど、また切断刃に加える切断方向の荷重を増加させるほど、シート束に対する突き刺し性が向上して突き刺し量を増加することができる。よって、突出刃先部を有さない刃先線が真直の稜線でなる切断刃に比べ、突き刺し量の増加によってシート束の切断所要時間が短縮されるし、シート束に対する刃先の接触量が大きく低減するため切断時の発熱が抑制される。
【先行技術文献】
【特許文献】
【０００５】
【特許文献１】特開２０１０−８９２５２号公報
【発明の概要】
【発明が解決しようとする課題】
【０００６】
シート束切断装置には、実用上、仕様として定めた切断所要時間内でシート束切断を完了することや、その切断所要時間内を維持しながらも仕様として定めた切断可能回数（切断寿命）を達成することなどが、特に要求される。
本発明者らは、特許文献１によって提案した切断装置の切断刃について更に検討したところ、切断回数の増加に伴って突出刃先部の刃先線となる稜線が摩耗し、特にその突出先端が磨耗し、切断のための鋭利性を失ってしまい、故に切断所要時間が増加しやすいことが判った。そこで、本発明者らは、切断所要時間の増加を抑制するべく、切断刃に加える切断方向の荷重の増加や、切断刃の往復移動速度の増加を試みた。しかしながら、突出刃先部の突出先端の稜線が加速的に磨耗してしまい、切断所要時間が増加し、かつ切断可能回数（切断寿命）が低下してしまった。
【０００７】
本発明の目的は、特許文献１に開示した切断刃における上述した磨耗に係る問題を解決し、切断所要時間を所定内に維持しながらも切断可能回数（切断寿命）を延ばすことができる切断刃を見出し、実用に適する新規なシート束切断装置を提供することである。
【課題を解決するための手段】
【０００８】
本発明者は、切断刃の突出刃先部の突き刺し形態を詳細に検討し、シート束に対する突出刃先部の突き刺し形態を適正にできる切断刃の構造にすることによって、上述した課題が解決できることを見出し本発明に到達した。
【０００９】
すなわち本発明のシート束切断装置は、複数のシート材からなるシート束を切断可能なシート束切断装置であって、該シート束切断装置は、切断幅方向に延在する一縁に刃先を有する板状の切断刃を備え、前記一縁には、突き刺しおよび引き切りが可能な刃先線となる稜線を有して切断方向（シート束に向かう方向）に突出する複数の突出刃先部と、隣接する前記突出刃先部の間に前記突出刃先部の隣接する突出先端の離間距離（Ｌｙ）と前記突出刃先部を形成する基部の幅（Ｌｘ）との距離比（Ｌｘ／Ｌｙ）が０．１０〜０．４０に形成された直線状底部とを有し、前記シート束の切断を、前記切断刃に切断方向の荷重を付与し、かつ前記切断刃を切断幅方向に往復移動することで行う、シート束切断装置である。
【００１０】
前記直線状底部の直線状部の長さは１ｍｍ以上に形成されていることが望ましい。また、前記直線状底部は前記シート束の切断幅方向に沿って切断を営む刃先線となる稜線を有することができる。
【００１１】
前記突出刃先部は前記直線状底部との直交方向において前記直線状底部から前記突出先端までの突出量が０．０５〜１．０ｍｍに形成されていることが望ましい。また、前記突出刃先部の隣接する突出先端の離間距離が１．５ｍｍ以上に形成されていることが望ましく、さらに２ｍｍ以上に形成することが望ましい。
【発明の効果】
【００１２】
本発明によれば、切断所要時間を所定内に維持しながらも切断可能回数（切断寿命）を延ばすことができるため、従来よりも高寿命化したシート束切断装置が得られる。よって、切断刃の交換頻度が低減でき、シート束の切断に要する費用の削減に貢献できる。
【図面の簡単な説明】
【００１３】
【図１】本発明のシート束切断装置の一例を示す図である。
【図２】図１に示すシート束切断装置を用いたシート束の切断途中を示す図である。
【図３】本発明における切断刃の刃先の一例であって、その要部である刃先の突出刃先部および直線状底部を拡大して示す図である。
【図４】本発明における切断刃の刃先の一例を示す斜視図である。
【発明を実施するための形態】
【００１４】
上述した通り、本発明の重要な特徴は、特定形状とした切断刃にある。この切断刃の詳細を説明する前に、本発明で適用するシート束切断装置の全体構成を、図１と図２を用いて説明する。
【００１５】
図１は本発明のシート束切断装置の一例（以下、切断装置１という。）であって、その構成を示す構成図である。また、図２は、図１に示す切断装置１によりシート束を切断する途中状態を示す側面図である。なお、本発明でいうシート束は、例えば画像印刷等がなされた複数のシート材を、単に積層したり、中折りしたりして、束状もしくは冊子状の形態になしたものである。また、シート束において、通常は、その背部に対して平行位置となる小口部や直交位置となる側縁部が切断対象とされる。
【００１６】
切断装置１は、フレームベース９に対して、シート束Ｓを載置する載置台６と、載置台６との間でシート束Ｓを押圧する押圧手段５と、切断刃２を切断幅方向に往復移動させる往復移動手段３と、切断刃２を切断方向に移動させるとともに、その反対の復帰方向にも移動させる切断方向移動手段４と、切断刃２に切断方向の荷重を加えるための荷重負荷手段（錘１０など）と、シート束Ｓの切断時に切断刃２の突出刃先部２ａを受ける受け部材７と、を有して構成されている。また、載置台６の両側にはシート束Ｓの幅方向をガイドするガイド部材８を設け、シート束Ｓを矢印１１で示す方向から整列して挿入することができる。
【００１７】
切断刃２の往復移動手段３は、切断刃２を取り付ける切断刃保持部材３ａと、切断幅方向がスライド方向となるように設けられ、スライド側に切断刃保持部材３ａを取り付けるとともに、固定側に切断刃２を切断方向に移動する切断方向移動手段４を取り付けるリニアスライダ３ｂと、切断刃保持部材３ａに係合して切断刃保持部材３ａを切断幅方向に移動させるための偏芯カム３ｃと、切断方向移動手段４に取り付けられ、偏芯カム３ｃの回転軸に連結して偏芯カム３ｃを回転駆動させるモータ３ｄとを有して構成されている。
【００１８】
この往復移動手段３により、切断刃２を有する切断刃保持部材３ａを、モータ３ｄの１回転により切断幅方向に１往復だけ移動することができる。また、切断刃２の往時および復時の移動量は、簡易な手段によって設定できる。具体的には、偏芯カム３ｃの回転軸の偏芯量を、例えば１０ｍｍに設定すると切断刃２を２０ｍｍの移動量で切断幅方向に往復移動させることができ、例えば５ｍｍに設定すると切断刃２を１０ｍｍの移動量で切断幅方向に往復移動させることができる。また、切断刃２の切断幅方向への往復移動は、切断刃２に作用する切断抵抗の程度に応じてモータ３ｄの回転数を変動させて制御することができる。
【００１９】
切断刃２の切断方向移動手段４は、切断刃２を有する往復移動手段３におけるリニアスライダ３ｂの固定側を取り付けるスライドフレーム４ａと、切断幅方向においてスライドフレーム４ａの両側に一対で設けられ、スライド側にスライドフレーム４ａを取り付けるとともに、固定側にフレームベース９を取り付ける一対のリニアスライダ４ｂと、スライドフレーム４ａの切断方向の後進側に設けられ、スライドフレーム４ａの切断方向の前進側に設けられ、シート束の載置台６の載置面に当接可能な当て面４ｅを有するストッパ４ｄと、前記スライドフレーム４ａを切断方向および復帰方向へ移動可能なモータなどの駆動源（図示せず）を有して構成されている。
【００２０】
切断刃２に切断方向への荷重を負荷する荷重負荷手段は、具体的には錘１０の他、上述した往復移動手段３や切断方向移動手段４を構成する切断刃２とともに移動する各部材の自重を利用している。また、錘１０は、これを収納するための錘収納部４ｃを前記スライドフレーム４ａの上部に設けている。
【００２１】
シート束を載置台６との間で押圧する押圧手段５は、シート束のシート面に接触させる押板５ａと、フレームベース９に取り付けられる固定フレーム５ｂと、固定フレーム５ｂに設けたタップ孔にねじ込まれて先端部が押板５ａに係合するボルト部材５ｃとを有して構成されている。シート束を載置台６との間で押圧することでシート束の位置や姿勢を固定する場合は、ボルト部材５ｃを回転させて押板５ａを前進させればよい。逆に、シート束の押圧を解除する場合は、ボルト部材５ｃを反対方向に回転させて押板５ａを後進させればよい。
【００２２】
なお、シート束の押圧力は、切断時にシート束が位置ずれを生じない程度であって、シート束のシート面に押圧による皺や傷などを生じない程度に設定すればよい。このようなシート束の押圧動作は、例えばボルト部材５ｃにモータなどの駆動源を連結することで自動化が可能である。また、シート束の押圧手段は、バネなどの弾性体、電動シリンダなどのなどの圧力負荷機器、カムや梃子などの機械機構などを用いて構成できる。
【００２３】
上述した構成を有する切断装置１におけるシート束の切断は、切断刃２に対して荷重負荷手段により切断方向へ荷重を加えながら、切断刃２を往復移動手段３によりシート束の幅方向すなわち切断幅方向に往復移動し、かつ切断刃２を切断方向移動手段４により切断方向すなわちシート束に向かって移動し、切断刃２がシート束の最下に位置するシート材を通過して刃先を受ける受け部材７に達することで行われる。切断刃２のこうした一連の移動により、シート束は、その最上のシート材から順に、１枚あるいは複数のシート材がミシン目状に部分切断されると同時に引き切られて全幅切断され、この繰り返しによって終にはシート束全体が全幅切断される。この後、切断刃２は切断方向移動手段４により復帰方向へ移動され、待機位置へ戻される。
【００２４】
次に、本発明において特に重要な技術的特徴について詳述する。
本発明においては、シート束に対する突出刃先部の突き刺し形態を適正化した、切断刃の構造に特徴がある。具体的には、当該切断刃は、切断幅方向に延在する一縁に刃先を有する板状の切断刃であって、前記一縁には、突き刺しおよび引き切りが可能な刃先線となる稜線を有して切断方向に、つまりシート束に向かう方向に突出する複数の突出刃先部と、隣接する前記突出刃先部の間に形成された直線状底部とを有する。すなわち、突出刃先部と直線状底部の組合せ構造を有する切断刃を適用することにより、シート束への突き刺し量を規制することができ、切断刃に対する切断方向の荷重が低減されるため、上述した課題を解決することができる。
【００２５】
上述した本発明に係る切断刃について、具体例を挙げて詳述する。
図３および図４は、本発明において適用可能な切断刃の一例であって、図１に示す切断刃２の突出刃先部２ａを含む切断幅方向に延在する前記一縁の要部の拡大図である。図４は切断刃２の斜視図であって、その幅方向の一端部の近傍を示す図である。また、図３は中央部近傍における２つの突出刃先部とその間に形成された直線状底部を示す図である。なお、図３では、切断刃２となる板材の板面を正面、板材を刃先側から厚さが解るように見た、つまり切断装置に装着したときにシート束側から見た、一縁の面を下面、板材を長手方向（切断幅方向）から厚さが解るように見た一縁の面を側面と称する。よって、図３（ａ）が正面、図３（ｂ）が線分ＰＰによる側面の断面、図３（ｃ）が線分ＱＱによる側面の断面、図３（ｄ）が下面を示す図となる。
【００２６】
また、図３に示す二点鎖線は、被切断材であるシート束の最上に位置するシート材面の位置の例を示す線である。よって、図３は、最上のシート材に対して切断刃２の突出刃先部が突き刺さった状態を例示している。また、図３に示す切断刃２の場合、直線状底部１００の直線状部に切断の営みが可能な稜線を形成してある。よって、図３（ｃ）で示す直線状底部１００は、鋭利な稜線に相当する刃先角を有している。
【００２７】
図３に示す切断刃２は、板材からなり、切断幅方向（図３（ａ）中では水平方向）に延在する一縁に刃先を有し、切断幅方向に往復移動しながら切断方向（図３（ａ）中では下方向）へ移動することによって切断を営むことができる。切断刃２の刃先において、図３（ａ）に頂部８０、９０で示す２つの突出刃先部は、切断方向に向かって頂部８０、９０が突出先端の頂点となって突き刺しが可能となっている。これら突出刃先部は、正面から見ると、全体形状としては二等辺三角形状の突出刃に形成されている。突出刃先部を二等辺三角形状に形成することは好適であり、切断幅方向のいずれの方向に対しても同じ剪断角を画成できるため、往復移動によって同じ態様の引き切りが可能となる。なお、本発明における突出刃先部の突出先端は、前記頂部のような鋭角的形状に限らず、シート束に対する突き刺しが可能であれば曲線形状を有していてもよい。
【００２８】
頂部８０で示す突出刃先部は、突出先端となる頂部８０と、突出刃先部の基点となる２つの基部８１、８２と、これらがなす２つの稜線８３、８４とで、切断方向へ突出する三角状の突出刃に形成されている。同様に、頂部９０で示す突出刃先部は、突出先端となる頂部９０と、突出刃先部の基点となる２つの基部９１、９２と、これらがなす２つの稜線９３、９４とで、切断方向へ突出する三角状の突出刃に形成されている。
【００２９】
上述した２つの隣接する突出刃先部の間には、直線状部を有する直線状底部１００を有し、該直線状底部１００はその両端が基部８１、９１と合致し、突出刃先部に対して屈曲的に連続して形成されている。この場合、基部８１、９１を結ぶ直線状の箇所が、直線状底部１００の直線状部に相当する。本発明においては、被切断材であるシート束の最上に位置するシート面に対し、直線状底部１００の直線状部が平行に位置するように配置すると好適である。
【００３０】
前記直線状底部１００は、突出刃先部に対してＲ部を設けて弧状に連続するように形成し、これにより切断中の応力集中を緩和するようにもできる。場合によっては、段差を設けるようにして、突出刃先部の基部の機械的強度を確保することもできる。上述の突出刃先部の基部８１、９１は、前記Ｒ部を設ける場合などでは、稜線と直線状部の双方を延長したときの交点に相当し、両側の交点を結ぶ直線状の箇所が直線状底部の直線状部に相当すると解される。
【００３１】
また、頂部８０で示す突出刃先部は、側面から見た図３（ｂ）および下面から見た図３（ｄ）を参照すると、頂部８０から連なる峰８５を形成する２つの面（すくい面）と、その反対面になる逃げ面８６とを有し、該峰８５と該逃げ面８６とで刃先角をなす。同様に、頂部９０で示す突出刃先部は、頂部９０から連なる峰９５を形成する２つの面（すくい面）と、その反対面になる逃げ面とを有し、該峰９５と前記逃げ面とで刃先角をなす。隣接する突出刃先部のいずれの逃げ面も、直線状底部１００を画成する図３（ｃ）で示す面１０２と同一の平面として連続に形成される。すなわち、切断刃２の場合、逃げ面８６および面１０２で示す板状の側面は、一体の平面に形成されている。
【００３２】
ここで、切断刃の刃先に係る角度の呼称について、図３（ａ）に示す頂部８０を有する突出刃先部を例に挙げて説明する。頂部８０と２つの基部８１、８２を結んだ２つの直辺が交差して画成する角度は、突出刃先部の頂角と呼ぶ。また、該頂角との関係で、式（Ａ）「剪断角＝９０−頂角／２」で決まる角度は、剪断角と呼ぶ。また、図３（ｂ）に示す峰８５と逃げ面８６で画成される角度は、頂部８０を有する突出刃先部の刃先角と呼ぶ。
【００３３】
本発明において用いる切断刃では、上述した刃先角は１０〜３０度が望ましく、より望ましくは１５〜２５度である。
シート束に対して突き刺さった突出刃先部の頂部８０、９０すなわち突出先端の近傍には、すくい面によってシート束を切り分ける負荷が生じて作用し、楔効果を生じて突出刃先部が逃げるように逃げ面の方向に弾性的に撓む。この撓み量は、刃先角が３０度を超えると大きくなりやすく、当該突出刃先部の軌跡と、他の突出刃先部の軌跡との間に生じる差分が大きくなってしまうため、切断した箇所の毛羽立ちや、切断粉の多量発生など、実用上問題とされる不具合を発生しやすいからである。また、刃先角が１０度未満では、突出刃先部の機械的強度が低下し、突出先端の欠損や、突出刃先部がその基部から折損しやすくなるからである。
【００３４】
上述した切断刃２を用いてシート束を切断する場合において、切断刃２の刃先に係る挙動を詳述する。
切断刃２が切断方向に移動してシート束に達すると、まず最直近に位置するシート束の最上にあるシート材（図示せず）に対し、突出刃先部の突出先端すなわち頂点８０、９０が接触して引っ掛かる。そして、切断刃２に対して切断方向に付与された荷重により、突出刃先部の頂点８０、９０がシート材に突き刺さっていく。このとき、シート束の最上付近は、突出刃先部の頂点８０とこれに続く稜線８３、８４により、また頂点９０とこれに続く稜線９３、９４により、部分的に突き刺し切断されることになる。
【００３５】
また、前記突き刺し動作とほぼ同時に、突き刺さった突出刃先部が切断幅方向へ移動され、この動作によってシート束の最上付近が稜線８３、８４、また稜線９３、９４によって引き切られることになる。こうした引き切り動作の開始後は、切断方向に加えられた荷重により、切断刃２の突出刃先部はシート束を引き切りながら、さらに下方に位置するシート材に対して突き刺さっていく。
【００３６】
本発明者らが特許文献１で開示した切断刃の場合、切断刃に加わる切断方向の荷重により、突出刃先部がシート束に突き刺さる。この場合、シート束への突き刺さり量は、突出刃先部の形状や荷重の大きさによって大きく異なってしまう。シート束の切断を繰り返したとき、突き刺さり量が過少であると、突出刃先部の突出先端に負荷が集中することで摩耗が加速的に進むため、突き刺し性能が早期に損なわれて切断所要時間の増加を早めてしまう。また、突き刺さり量が過多であると、突出刃先部に過大な負荷を受けることとなり、突出先端の摩耗のみならず異常変形や欠けを生じてしまう場合がある。よって、どちらの場合であっても、摩耗などにより、所定の切断品位や切断寿命の維持が難くなる。
【００３７】
このような場合、上述した本発明における切断刃であれば、隣接する突出刃先部の間に形成された直線状底部により、突出刃先部のシート束への突き刺さり量を所定量に規制することができる。具体的には、突出刃先部の突出先端の直線状底部の直線状部までの垂直距離（刃丈）を、図３に示す切断刃２でいえば頂点８０から直線状底部１００までの垂直距離であるが、所定の突き刺さり量となるように形成しておけばよい。
【００３８】
この構成により、突出刃先部がシート束に対して所定を超えて突き刺さろうとしても、直線状底部１００の直線状部がシート束に当接するため、突出刃先部の突き刺さり量が過多になることを防ぎ、所定量に規制することができる。直線状底部１００の直線状部がシート束に当接したとき、切断刃２に加えた切断方向の荷重により、当接した該直線状部に刃圧が生じる。このとき、該直線状部によってシート束に対する接触面積が大きくなっているため切断抵抗が大きいものとなるので、切断刃２のシート束へのさらなる突き刺さりを防止できる。そして、切断刃２のさらなる突き刺さりを防止しながら、切断幅方向へ移動する切断刃２によってシート束の引き切りを行うことができる。加えて、切断刃に加える切断方向の荷重が常識的範囲で適正量を超えた場合であっても、上述したように直線状底部１００の直線状部によって切断刃２のさらなる突き刺さりに抗することができ、突出刃先部のシート束への突き刺さり量を所定量に規制することができる。
【００３９】
よって、刃先線となる複数の突出刃先部の間に直線状底部を形成する構成を有する本発明における切断刃の適用により、シート束への突出刃先部の突き刺さり量を適正に制御でき、突出刃先部の突出先端付近の摩耗が加速的に進むようなことがなくなり、このため当初の切断所要時間を長く維持できるようになって、切断刃の切断寿命を延長することができる。
【００４０】
本発明においては、上述した当該直線状底部の機能がより確実に発揮されるように、当該直線状底部の直線状部分の長さを、上述した切断刃２でいえば直線状底部１００の長さを、１ｍｍ以上に形成しておくことが望ましい。なお、該直線状部分の長さが１ｍｍ未満であると、シート束の硬さや弾力性などの性状も関係するものの、該直線状底部が当接したシート材を突き破ってしまい、突出刃先部が所定を超えてシート束に突き刺さってしまう可能性がある。このような事象を生じる可能性のあるシート束を切断対象とする場合は、突出刃先部の隣接する突出先端の離間距離を１．５ｍｍ以上、より望ましくは２ｍｍ以上に形成するとよい。当該離間距離を長くできると、突出刃先部の突出先端の頂角が確保しやすく、故に機械的強度を有しやすい。
【００４１】
また、図３に示す切断刃２における直線状底部１００の直線状部のように、本発明における切断刃は、直線状底部の直線状部に対して、シート束の切断幅方向に沿って切断の営みが可能な刃先線となる稜線を形成することができる。このとき、図３に示す切断刃２の場合、図３（ｃ）で示す面１０２が逃げ面となり、面１０１がすくい面となる。
【００４２】
上述のように直線状底部に切断の営みが可能な刃先線となる稜線を有する場合であっても、突出刃先部よりも直線状底部の直線状部に形成した該稜線の切断抵抗が大きくなる。よって、シート束に当接した該稜線により、突出刃先部のシート束に対する突き刺しが抑止され、突出刃先部の突き刺し量を適正に制御することができる。また、直線状底部の直線状部が刃先線となっていることで、シート束の切断に加担することができる。すなわち、直線状底部の直線状部に形成した該稜線により、新たに押し切り効果が得られるとともに、引き切りにも加担することができる。
【００４３】
また、切断刃の突出刃先部は直線状底部との直交方向において、上述した切断刃２でいえば、直線状底部１００から突出先端である頂点８０までの突出量、つまり突出刃先部の刃丈（高さ）が０．０５〜１．０ｍｍに形成されていることが望ましい。一般に、例えば感熱紙などの薄紙では厚さが０．０８ｍｍ程度であることから、該刃丈が０．０５ｍｍ未満であると、切断刃の１往復動作中に１枚のシート材が切断できない可能性があり、切断端の毛羽立ちや紙粉発生などが懸念される。より好適な該刃丈の下限値は、被切断材（１枚のシート材）の厚さを超えて、例えば１枚の厚さが１００μｍ未満のような前記感熱紙などのシート材の場合は０．１ｍｍ、厚さが２５０μｍ以下の一般普通紙などのシート材の場合は０．３ｍｍ、厚さが２５０μｍを超えるようなシールやラベルなどのシート材の場合は０．４ｍｍである。
【００４４】
一方、上述の刃丈が１．０ｍｍを超えると、突出刃先部がその基部近くまで突き刺さり難くなって直線状底部がシート束に当接し難くなる。そのため、直線状底部を設ける効果が十分に発揮できない場合がある。本発明者らの検討によれば、突出刃先部の突出先端をなす頂角を６０〜１６０度（刃先がシート束となす剪断角で考えれば６０〜１０度）に形成した場合、上述した厚さが２５０μｍ以下のシート材の場合に好適な刃丈の上限値は０．５ｍｍであり、厚さが２５０μｍを超えるシート材の場合に好適な刃丈の上限値は０．７ｍｍである。
【００４５】
本発明において、突出刃先部の突出先端の最上のシート材に対する喰い付きや突き刺しの効果を高めるためには、突出先端の頂角をより小さく鋭角化する（剪断角でいえばより大きくする）ことが望ましい。突き刺し効果を高めることにより、引き切りへの偏重による突出先端に対する過分な摺動負荷が抑制されるため、突出先端の摩耗の進行を緩やかにできる。
【００４６】
ただし、突出先端の頂角を小さくし過ぎると剪断角が大きくなり過ぎて、引き切りにおける切断抵抗の増加につながるばかりでなく、機械的強度の低下によって折損などが生じやすくなる。従って、当該頂角は、刃丈や被切断材の特質を考慮の上、６０〜１６０度（剪断角でいえば６０〜１０度）、より望ましくは８０〜１４０度（剪断角でいえば５０〜２０度）に設定することが望ましく、引き切り効果を重視する用途であれば１００〜１２０度（剪断角でいえば４０〜３０度）が好適である。
【００４７】
また、隣接する突出刃先部の間隔は、上述した切断刃２でいえば２つの頂点８０、９０の距離（刃ピッチ）は、少なくとも２ｍｍ以上であることが望ましい。２ｍｍ未満に設定した場合、上述したように刃丈を必要量に設定すると、直線状底部の直線状部分の長さが不十分となって上述した不具合を生じやすくなる。
【００４８】
例えば、刃ピッチを２ｍｍとし、有効な切断長さ（刃渡り）を標準Ａ４サイズの長手方向の長さに相当する３００ｍｍとすると、突出刃先部の総数は約１５０個となる。この場合、１刃当りの刃圧を３Ｎに設定すると、切断刃において切断を営む刃先全体に作用する全刃圧は約４５０Ｎとなる。つまり、刃ピッチが小さいほど突出刃先部の個数が増えるので、１刃当りの刃圧が小さくても全刃圧が増加し、切断負荷が増加してしまう。切断負荷が大きくなると、切断刃に加える切断方向の荷重を増やすこととなり、切断刃の駆動源の高出力化が必要となる。また、切断時にシート束を保持する押圧力の増加も必要となるため、切断装置のコンパクト性を損ね、製造コストにも影響してしまう。
【００４９】
上述した刃ピッチは、シート束への突出刃先部による刃圧を小さくして突出刃先に対する負荷を減少させると、切断品位向上や切断寿命延長などの効果が期待できるため、できる限り大きくするのがよいが、刃ピッチが大きくなった分だけ切断装置が大型化する。よって、本発明においては切断装置のコンパクト化を考慮し、刃ピッチの上限値を２０ｍｍとし、これ以下であることが望ましい。例えば、刃ピッチが２０ｍｍである場合は、切断刃の切断幅方向への往復移動量を２０ｍｍを超え２５ｍｍ以下の範囲に設定すると、よりコンパクトな切断装置を得ることができる。
【００５０】
本発明に係る切断刃に形成する突出刃先部において、２つの突出刃先部の隣接する突出先端の離間距離（Ｌｙ）と、その突出刃先部の付け根に当たり、その突出刃先部を形成する基部の幅（Ｌｘ）との距離比（Ｌｘ／Ｌｙ）を０．１０〜０．４０に形成するとよい。ここでいう基部の幅とは、図３（ａ）において示せば、頂部８０を有する突出刃先部を形成する２つの基部８１、８２の間の距離に対応し、あるいは、頂部９０を有する突出刃先部を形成する２つの基部９１、９２の間の距離に対応する。このように形成された切断刃は、直線状部は十分な長さを有し、突出刃先部は十分な機械的強度を有し、突出刃先部によるシート束の突き刺しや引き切りが効果的に行えるものとなる。また、前記距離比（Ｌｘ／Ｌｙ）を０．２０〜０．３５に形成するとさらに効果的になる。例えば、後述する切断刃の突出刃先部は、隣接する突出先端の離間距離（ピッチ）を２．５ｍｍ、突出量（刃丈）を０．３ｍｍ、突出先端（頂点）の頂角を１００度に設定して形成した。その切断刃において、前記距離比（Ｌｘ／Ｌｙ）は０．２９となり、形成可能な直線状部の長さは１．７ｍｍとなる。
【００５１】
また、本発明においては、刃先に作用する１刃当りの荷重（刃圧）を０．２〜５Ｎに設定すると好適である。例えば、紙類からなるシート束の切断を行ったところ、０．１〜０．２ｍｍの突き刺し量で切断することができた。なお、本発明者らは、（刃丈，刃ピッチ）＝（０．３ｍｍ，５ｍｍ）と（０．３ｍｍ，２．５ｍｍ）の場合を比較し、いずれの組合せであっても１枚のシート材の厚みが０．１ｍｍ未満でも品位よく切断できることを確認した。また、突出刃先部が喰い付いたとき、前者つまり刃ピッチが大きい方が、最上のシート材が切断幅方向に引っ張られて動くようなことがなくなることを確認した。
【００５２】
本発明において、上述した切断刃を構成するために、刃物材として好適な材質かつ所望寸法の板材を用いることができる。材質としては、例えば、刃物用鋼製、高速度工具鋼製、粉末高速度工具鋼製などの板材、さらに材質によっては窒化クロム被覆やダイヤモンドライクカーボン被覆などの強化を施したもの、超硬合金の焼結材でなる板材、セラミックス製の板材、刃材と胴材を溶接した一般に使用されるメタルバンドソーと類似構造の板材などが使用できる。また、板材の厚さは、突き刺しや切断箇所への入り込みを考慮すると、２ｍｍ以下が望ましく、例えば０．３ｍｍ、０．７ｍｍ、１．２ｍｍなど、より薄い板材が好適である。
【００５３】
また、上述した切断刃の成形においては、すくい面を形成する側の刃先形状は当該平板面に対し、例えば突出刃の対応形状を有するフォーミング砥石による研磨やワイヤーカットや研削などによる加工手段を適用し、成形することができる。また、逃げ面を形成する側の刃先形状は、切断時の摺動抵抗低減や良好な切断面品位を得るために、平面研磨などを適用して可能な限り円滑に成形することが望ましい。
【００５４】
以下、本発明に係る好ましい構成につき、適宜図１〜図３を参照して説明しておく。
図１に示す切断装置１において、切断刃２を切断幅方向に往復移動させること、つまり、切断幅方向において一方向に移動させた切断刃２を所定位置で転じて反対方向に移動させることは、切断刃２の切断幅方向の長さを短縮できる利点がある。なぜならば、切断刃２の切断幅方向の長さを短くしても、往復移動によって切断刃２の切断幅方向の長さ以上の移動量が得られるからである。
【００５５】
従って、切断刃２の切断幅方向の有効長さ、すなわち、切断刃２の切断の営みが可能な刃先線の刃渡り（Ｌｃ）は、切断するシート束の幅寸法（Ｌｓ）と切断刃２の往時移動量（Ｘ）および復時移動量（Ｘ）との関係において、式：Ｌｃ＞Ｌｓ−２Ｘを満足するように、シート束の幅寸法から切断刃２の往復移動量を差し引いた値よりも大きく設定すればよい。例えば、Ａ４規格のシート束の長手方向（縦方向）を切断する場合、シート束の幅寸法（Ｌｓ）は２９７ｍｍであり、切断刃２の往復移動量（２Ｘ）を２０ｍｍに設定した場合は、切断刃２の刃先線の刃渡り（Ｌｃ）は少なくとも２７７ｍｍを超えていればよい。このような構成によれば、切断装置の軽量化やコンパクト化には有利である。
【００５６】
また、切断刃２の往時および復時の各移動量は、突出刃先部２ａの刃先ピッチの１倍を超えて１０倍以下に設定することが望ましい。より望ましくは２〜５倍に設定し、隣接する突出刃先部２ａの切断軌跡を適度に重複させて切断を確実にすることである。具体的には、上述したように突出刃先部２ａの刃先ピッチの好適範囲が２〜２０ｍｍであることから、該刃先ピッチとの関係において切断刃２の往時および復時の各移動量は、２ｍｍを超え２００ｍｍが望ましく、より望ましくは４〜１００ｍｍの範囲に設定することである。これにより、シート束の寸法規格に適するコンパクトな切断装置を、簡易な構造で得ることができる。
【００５７】
なお、切断刃２の前記移動量を２ｍｍ以下に設定した場合、刃先ピッチとの関係においてシート束の切断が不完全になる場合がある。加えて、切断刃２の切断幅方向への往復移動の周期が小さくなると、周囲に不快感を与えるような振動や騒音が発生する場合がある。また、切断刃２の前記移動量を１００ｍｍを超えて設定した場合、切断刃２の切断幅方向への往復移動機構が大型化し、コンパクト性を損ねてしまう場合がある。
【００５８】
また、切断刃２に加える切断方向の荷重（Ｃｗ）は、突出刃先部の個数（Ｃｐ）および上述した刃圧（Ｃｆ）と、式：Ｃｗ＝Ｃｆ×Ｃｐが成立する関係にあって、切断刃２の突出刃先部２ａの形状や個数、切断刃２を切断幅方向に往復移動させる駆動力の大きさ、切断するシート束の切断長さ、厚さ、材質、シート束の切断所要時間など、各種因子との関係を考慮して設定することが望ましい。本発明においては、上述した通り、刃圧を０．２〜５Ｎに設定することが望ましいため、該荷重Ｃｗは０．２Ｃｐ〜５Ｃｐ（単位：Ｎ）となる。実用的には、駆動源の出力、装置構造としての機械的強度、装置のコンパクト性などを考慮すべきであり、該荷重を２００〜６００Ｎの範囲に制御することが望ましい。
【００５９】
また、切断刃２に切断方向の荷重を加える手段は、図１に示す切断装置１のように、自重を直接の負荷荷重とする錘１０を用いる手段の他、例えば、スライドフレーム４ａに相当する部材を電動シリンダや梃子式レバーなどで押圧し、この押圧力を負荷荷重として用いる手段や、モータの回転力を偏芯カムによって直線運動に変換する際の押圧力を負荷荷重として用いる手段など、多様な荷重負荷機構が採用できる。なお、切断刃２の場合、これに対する切断方向の荷重は、切断刃２がシート束に突き刺さるときの負荷に相当し、切断刃２の自重や、切断刃２とともに移動する支持部材などの自重を含んでよい。
【００６０】
また、切断装置１において、切断刃２の突出刃先部２ａを受ける受け部材７は、切断刃２が切断方向の最下となる位置に達したときに、突出刃先部２ａの突出先端が受け部材７の受け面に当接するか、もしくは、突出刃先部２ａの突出先端が前記受け面に僅かに喰い込む程度の位置に設定するのがよい。また、受け部材７の前記受け面の材質としては、例えば、塩化ビニール、ウレタン、天然ゴムといった樹脂やゴムなどでなるものが使用でき、望ましくは市販のカッティングマットに適用されている材質であって、例えばポリプロピレンなどが好適である。
【実施例】
【００６１】
図１に示す切断装置１と同様の構成を有するシート束切断装置を実際に製作（発明装置）し、シート束の切断を行った。切断試験材は、一般的に使用されるＡ４規格（縦２９７ｍｍ、横２１０ｍｍ）の普通紙（株式会社リコー、ＰＰＣ用紙タイプ６００、厚さ約９０μｍ）を４０枚を重ね、冊子様としたシート束を用いた。切断対象は、シート束の縦方向（切断幅２９７ｍｍ）とした。なお、発明装置に係る呼称は図１〜図３を参照する。
【００６２】
発明装置に装着する切断刃２は、厚さ０．７ｍｍのＪＩＳ規定ＳＫＨ５１製の板材に、クロムナイトライド・コーティングを施したものを用いた。また、突出刃先部２ａは、刃ピッチを２．５ｍｍ、刃丈を０．３ｍｍ、正面から見た三角状の頂点の頂角を１００度（剪断角は４０度になる）、側面から見た刃先角を１５度とし、前記頂点（突出先端）はＲ０．１ｍｍ以下に研磨して鋭利性を確保した。隣接する突出刃先部２ａの間には、１．７ｍｍの直線状部を有する直線状底部１００を設け、該直線状部には刃先線となる刃先角１５度の稜線を形成した。切断刃２の全幅を３０５ｍｍとし、刃渡りとしては少なくとも前記切断幅を超える３００ｍｍを確保した。切断刃２の切断幅方向への往時および復時の各移動量は、刃ピッチの２倍となる５ｍｍ（往復幅１０ｍｍ）に設定した。突出刃先部２ａに作用する刃圧を３Ｎに設定し、これに基いて切断刃２に加える切断方向の荷重の基準値を４００Ｎに設定し、該荷重に係る各部材の自重を調整し、駆動源の出力を制御した。
【００６３】
上述した構成を有する発明装置を用い、前記切断試験材を切断する切断試験を繰り返し行った。その結果、通常の切断寿命とされる繰り返し切断回数（５万回）まで達しても、突出刃先部２ａの突出先端（図３に示す頂点８０、９０に相当する）の摩耗が加速的に進むことがなかった。また、前記切断試験材の切断所要時間は、当初からほとんど増加することがなく、５万回到達時に測定した突出刃先部２ａの突出先端の摩耗量は０．２ｍｍ程度であった。また、切断試験材の切断面は、５万回到達時でも実用的に不具合とされる状態は認められず良好な切断品位を有していた。
【００６４】
また、本発明の効果を確認するため、上述した発明装置を用いて行った切断試験を、従来装置を用いて同様に実施した。
従来装置は、切断装置本体に発明装置を用い、該発明装置で用いた切断刃２に替えて、隣接する突出刃先部の間にシート束からの離間方向に窪む曲線状底部を有する切断刃を用いたものである。すなわち、発明装置と従来装置の構成上の相違点は、切断刃において、隣接する突出刃先部の間に直線状底部を有する（発明装置）か、曲線状底部を有する（従来装置）か、に限られる。また、切断刃に係る上述した各所寸法、設定した刃圧や荷重、往復移動量は、すべて同様とした。
【００６５】
上述した構成を有する従来装置を用い、発明装置と同様の切断試験を繰り返し行った。その結果、従来装置では、突出刃先部の突出先端の摩耗が加速的に進み、繰り返し切断回数３万回に達した頃には切断所要時間が実用性を損ねるほどに増加した。このとき測定した突出先端の摩耗量は０．３ｍｍ程度であった。引き続き切断試験を繰り返したところ、次第にシート束の切断が不完全になったため、繰り返し切断回数５万回に到ることなく、切断試験を中止した。
【００６６】
以上より、発明装置および従来装置を用いた切断試験の結果より、本発明のシート束切断装置は、切断刃の突出刃先部の間に形成された直線状底部の効果により、突出刃先部の摩耗が抑制され、少なくとも繰り返し切断回数５万回までは実用的な切断所要時間でシート束を切断でき、従来装置よりも切断寿命を延長できることが確認された。
【符号の説明】
【００６７】
１．切断装置、２．切断刃、２ａ．突出刃先部、３．往復移動手段、３ａ．切断刃保持部材、３ｂ．リニアスライダ、３ｃ．偏芯カム、３ｄ．モータ、４．切断方向移動手段、４ａ．スライドフレーム、４ｂ．リニアスライダ、４ｃ．錘収納部、４ｄ．ストッパ、４ｅ．当て面、５．押圧手段、５ａ．押板、５ｂ．固定フレーム、５ｃ．ボルト部材、６．載置台、７．受け部材、８．ガイド部材、９．フレームベース、１０．錘、１１．矢印、８０．頂部、８１，８２．基部、８３，８４．稜線、８５．峰、８６．逃げ面、９０．頂部、９１，９２．基部、９３，９４．稜線、９５．峰、１００．直線状底部、１０１，１０２．面、Ｓ．シート束
【図１】
0006049185.tif 000002
【図２】
0006049185.tif 000003
【図３】
0006049185.tif 000004
【図４】
0006049185.tif 000005